(57)【要約】【課題】アクセスコントロールリストを備えない画像形成装置の場合に、ジョブリストの取得制限を行う事が困難であった。そこで、印刷ジョブリスト取得の際に、簡便なアクセス制限を行うことのできる印刷システムを提供することを目的とする。【解決手段】情報処理装置に画像形成装置が接続された印刷システムにおいて、情報処理装置からユーザＩＤとパスワードを付加した印刷ジョブを送信する送信手段と、ユーザＩＤ・パスワードを付加した印刷ジョブリスト取得要求を行うジョブリスト取得手段と、印刷ジョブリスト内のユーザＩＤ、パスワード照合手段により構成されることを特徴とする。【選択図】        図１
2006252411.tif 000002
【特許請求の範囲】
【請求項１】
通信媒体を介して情報処理装置に画像形成装置が接続され、印刷ジョブおよび印刷ジョブリストの通信を行う印刷システムにおいて、
前記情報処理装置にユーザＩＤとパスワードを取得するユーザＩＤとパスワード取得手段と、
前記情報処理装置から前記画像形成装置にユーザＩＤとパスワードを付加した印刷ジョブを送信する送信手段と、
前記情報処理装置から前記画像形成装置にユーザＩＤ・パスワードを付加した印刷ジョブリスト取得要求を行うユーザＩＤ・パスワード付き印刷ジョブリスト取得手段と、
前記画像形成装置に、前記取得要求とジョブリスト内ユーザＩＤ、パスワード照合を行う印刷ジョブリスト内のユーザＩＤ、パスワード照合手段と、
前記照合結果から、画像形成装置内の印刷ジョブリストを情報処理装置に返信する印刷ジョブリスト返信手段を備えたことを特徴とする印刷システム。
【請求項２】
前記印刷システムにおいて前記照合結果を、前記照合結果を前記情報処理装置に通知する、照合結果通知手段を備えたことを特徴とする請求項１記載の印刷システム。
【請求項３】
前記印刷システムにおいて前記照合結果から、画像形成装置内の印刷ジョブリスト内でユーザＩＤ、パスワードが一致した印刷ジョブリスト返信手段を備えたことを特徴とする請求項１または２記載の印刷システム。
【請求項４】
通信媒体を介して情報処理装置に画像形成装置が接続され、印刷ジョブおよび印刷ジョブリストの通信を行う印刷方法において、
前記情報処理装置にユーザＩＤとパスワードを取得するユーザＩＤとパスワード取得ステップと、
前記情報処理装置から前記画像形成装置にユーザＩＤとパスワードを付加した印刷ジョブを送信する送信ステップと、
前記情報処理装置から前記画像形成装置にユーザＩＤ・パスワードを付加した印刷ジョブリスト取得要求を行うユーザＩＤ・パスワード付き印刷ジョブリスト取得ステップと、
前記画像形成装置に、前記取得要求とジョブリスト内ユーザＩＤ、パスワード照合を行う印刷ジョブリスト内のユーザＩＤ、パスワード照合ステップと、
前記照合結果から、画像形成装置内の印刷ジョブリストを情報処理装置に返信する印刷ジョブリスト返信ステップを備えたことを特徴とする印刷方法。
【請求項５】
前記印刷方法において前記照合結果を、前記照合結果を前記情報処理装置に通知する、照合結果通知ステップを備えたことを特徴とする請求項４記載の印刷方法。
【請求項６】
前記印刷方法において前記照合結果から、画像形成装置内の印刷ジョブリスト内でユーザＩＤ、パスワードが一致した印刷ジョブリスト返信ステップを備えたことを特徴とする請求項４または５記載の印刷方法。
【発明の詳細な説明】
【技術分野】
【０００１】
本発明は印刷システムおよび印刷方法に関し、印刷システムおよびコンピュータ読み取り可能なプログラムを格納した記憶媒体に関するものである。
【背景技術】
【０００２】
この種の印刷システムとして、印刷ジョブリストの取得制限を行う場合は、画像形成装置内にアクセスコントロールリスト（ＡＣＬ）を備えることや、画像形成装置がＬＤＡＰ（Ｌｉｇｈｔ  Ｗｅｉｇｈｔ  Ｄｉｒｅｃｔｏｒｙ  Ａｃｃｅｓｓ）プロトコルなどの外部データベースアクセスプロトコルにより、ＡＣＬを保持している外部データベースにアクセスすることにより実現する印刷システムが示されている。
【特許文献１】特開平１１−１２０１２８号公報
【発明の開示】
【発明が解決しようとする課題】
【０００３】
しかしながら、上記従来の印刷システムでは、画像形成装置内にＡＣＬを備える事のできない、または、ＬＤＡＰ等の外部データベースアクセスプロトコルを疎ないない安価な画像形成装置では、印刷ジョブリストの取得制限を行う事が困難であった。
【０００４】
また、ＡＣＬを備える画像形成装置においても、ＡＣＬの登録、管理が煩雑であり、利用しにくい場合があった。
【０００５】
そこで、本発明は、通信媒体を介して情報処理装置に画像形成装置が接続され、印刷ジョブおよび印刷ジョブリストの通信を行う印刷システムにおいて、画像形成装置内にＡＣＬを備える事のできない、または、ＬＤＡＰ等の外部データベースアクセスプロトコルを疎ないない画像形成装置において、印刷ジョブリスト取得の際に簡便なアクセス制限を行うことのできる印刷システムおよび印刷方法を提供することを目的とする。
【課題を解決するための手段】
【０００６】
上記目的を達成するために、本発明の印刷システムは、通信媒体を介して情報処理装置に画像形成装置が接続され、印刷ジョブおよび印刷ジョブリストの通信を行う印刷システムにおいて、
前記情報処理装置にユーザＩＤとパスワードを取得するユーザＩＤとパスワード取得手段と、前記情報処理装置から前記画像形成装置にユーザＩＤとパスワードを付加した印刷ジョブを送信する送信手段と、前記情報処理装置から前記画像形成装置にユーザＩＤ・パスワードを付加した印刷ジョブリスト取得要求を行うユーザＩＤ・パスワード付き印刷ジョブリスト取得手段と、
前記画像形成装置に、前記取得要求とジョブリスト内ユーザＩＤ、パスワード照合を行う印刷ジョブリスト内のユーザＩＤ、パスワード照合手段と、前記照合結果から、画像形成装置内の印刷ジョブリストを情報処理装置に返信する印刷ジョブリスト返信手段を備えたことを特徴とする。
【発明の効果】
【０００７】
本発明によれば、通信媒体を介して情報処理装置に画像形成装置が接続され、印刷ジョブおよび印刷ジョブリストの通信を行う印刷システムにおいて、画像形成装置内にＡＣＬを備える事のできない、または、ＬＤＡＰ等の外部データベースアクセスプロトコルを疎ないない画像形成装置において、印刷ジョブリスト取得の際に簡便なアクセス制限を行うことのできる印刷システムおよびコンピュータ読み取り可能なプログラムを格納した記憶媒体を提供することが可能である。
【発明を実施するための最良の形態】
【０００８】
以下に本発明の実施形態を複数の実施例に基づき、それぞれ図面を参照して詳細に説明する。
【実施例１】
【０００９】
本実施例は、請求項１の一部の実施例を説明する。
【００１０】
先ず、第１の実施形態に係る印刷ジョブリスト取得方法の構成を図１のブロック図を参照して説明する。尚、本発明の機能が実行されるのであれば、単体の機器であっても、複数の機器からなるシステムであっても、パラレルポートの接続がなされていても、シリアルポートの接続がなされていても、ＬＡＮ（Ｌｏｃａｌ  Ａｒｅａ  Ｎｅｔｗｏｒｋ：ローカルエリアネットワーク）、ＷＡＮ（Ｗｉｄｅ  Ａｒｅａ  Ｎｅｔｗｏｒｋ：広域ネットワーク）等のネットワークを介して接続がなされ処理が行われるシステムであっても、本発明を適用できることは言うまでもない。また、第１の実施形態で説明する情報処理装置はホストコンピュータであり、通信機器はプリンタである。
【００１１】
第１の実施形態に係る印刷ジョブリスト取得方法は、ホストコンピュータ３０００とプリンタ１５００とから構成されている。ホストコンピュータ３０００は、ＣＰＵ１とＲＡＭ２と、ＲＯＭ３とキーボードコントローラ（ＫＢＣ）５と、ＣＲＴコントローラ（ＣＲＴＣ）６とディスクコントローラ（ＤＫＣ）７と、プリンタコントローラ（ＰＲＴＣ）８と、キーボード（ＫＢ）９と、ＣＲＴディスプレイ（ＣＲＴ）１０と、外部メモリ１１とを備えている。
【００１２】
先ず、ホストコンピュータ３０００各部の構成を詳述すると、ＣＰＵ１はシステムバスに接続された各デバイスを統括的に制御する中央処理装置であり、ＲＯＭ３のプログラム用ＲＯＭ３ｂ（後述）或いは外部メモリ１１に記憶された文書処理プログラム等に基づいて、図形、イメージ、文字、表（表計算等を含む）等が混在した文書処理を実行する。また、ＣＰＵ１は、例えばＲＡＭ２上に設定された表示情報ＲＡＭへのアウトラインフォントの展開（ラスタライズ）処理を実行し、ＣＲＴディスプレイ１０上でのＷＳＹＩＷＹＧ（Ｗｈａｔ  Ｙｏｕ  Ｓｅｅ  Ｉｓ  Ｗｈａｔ  Ｙｏｕ  Ｇｅｔ：ＣＲＴディスプレイ画面上に見えているそのままの大きさや形で印刷できる機能）を可能としている。
【００１３】
更に、ＣＰＵ１はＣＲＴディスプレイ１０上のマウスカーソル（図示略）等で指示されたコマンドに基づいて登録された種々のウインドウを開き、種々のデータ処理を実行する。ユーザはプリンタ１５００を使用して印刷する際、印刷設定に関するウインドウを開き、プリンタ１５００の設定や印刷モードの選択を含むプリンタドライバに対する印刷処理方法の設定を行うことができるようになっている。
【００１４】
ＲＡＭ２はＣＰＵ１の主メモリ、ワークエリア等として機能する。ＲＯＭ３はフォント用ＲＯＭ３ａと、プログラム用ＲＯＭ３ｂと、データ用ＲＯＭ３ｃとを備えている。フォント用ＲＯＭ３ａ或いは外部メモリ１１は、上記文書処理の際に使用するフォントデータなどを記憶する。プログラム用ＲＯＭ３ｂ或いは外部メモリ１１は、ＣＰＵ１の制御プログラムであるオペレーティングシステム（以下、ＯＳ）等を記憶する。データ用ＲＯＭ３ｃ或いは外部メモリ１１は、上記文書処理等を行う際に使用する各種データを記憶する。
【００１５】
キーボードコントローラ（ＫＢＣ）５は、キーボード９やポインティングデバイス（図示略）からのキー入力を制御する。ＣＲＴコントローラ（ＣＲＴＣ）６は、ＣＲＴディスプレイ（ＣＲＴ）１０の表示を制御する。ディスクコントローラ（ＤＫＣ）７は、外部メモリ１１とのアクセスを制御する。プリンタコントローラ（ＰＲＴＣ）８は、双方向性インタフェース２１を介してプリンタ１５００に接続されて、プリンタ１５００との通信制御処理を実行する。キーボード９は、各種キーを備えている。
【００１６】
ＣＲＴディスプレイ（ＣＲＴ）１０は、図形，イメージ文字，表等を表示する。外部メモリ１１はハードディスク（ＨＤ），フロッピー(登録商標)ディスク（ＦＤ）等から構成されており、ブートプログラム，各種のアプリケーション，フォントデータ，ユーザファイル，編集ファイル，プリンタ制御コマンド生成プログラム（以下、プリンタドライバ）等を記憶する。
【００１７】
上述したＣＰＵ１，ＲＡＭ２，ＲＯＭ３，キーボードコントローラ（ＫＢＣ）５，ＣＲＴコントローラ（ＣＲＴＣ）６，ディスクコントローラ（ＤＫＣ）７，プリンタコントローラ（ＰＲＴＣ）８は、コンピュータ制御ユニット２０００上に配設されている。
【００１８】
次に、プリンタ１５００各部の構成を詳述すると、ＣＰＵ１２は、システムバス１５に接続された各デバイスを統括的に制脚する中央処理装置であり、ＲＯＭ１３のプログラム用ＲＯＭ１３ｂ（後述）に記憶された制御プログラム等或いは外部メモリ１４に記憶された制御プログラム等に基づいて印刷部（プリンタエンジン）１７に出力情報としての画像信号を出力する。また、ＣＰＵ１２は、入力部１８を介してホストコンピュータ３０００との通信処理が可能となっており、プリンタ１５００内の情報等をホストコンピュータ３０００に通知できる構成となっている。
【００１９】
ＲＡＭ１９は、ＣＰＵ１２の主メモリや、ワークエリア等として機能し、増設ポートに接続されるオプションＲＡＭ（図示略）によりメモリ容量を拡張することができるように構成されている。尚、ＲＡＭ１９は、出力情報展開領域、環境データ格納領域、ＮＶＲＡＭ等に用いられる。ＲＯＭ１３は、フォント用ＲＯＭ１３ａと、プログラム用ＲＯＭ１３ｂと、データ用ＲＯＭ１３ｃとを備えている。フォント用ＲＯＭ１３ａは、上記出力情報を生成する際に使用するフォントデータなどを記憶する。プログラム用ＲＯＭ１３ｂは、ＣＰＵ１２の制御プログラム等を記憶する。データ用ＲＯＭ１３ｃは、プリンタ１５００にハードディスク等の外部メモリ１４が接続されていない場合には、ホストコンピュータ３０００上で利用される情報等を記憶する。
【００２０】
入力部１８は、双方向性インタフェース２１を介してプリンタ１５００とホストコンピュータ３０００との間におけるデータの送受を行う。印刷部インタフェース（Ｉ／Ｆ）１６は、ＣＰＵ１２と印刷部１７との間におけるデータの送受を行う。メモリコントローラ（ＭＣ）２０は、外部メモリ１４のアクセスを制御する。印刷部１７は、ＣＰＵ１２の制御に基づき印刷動作を行う。操作部１５０１は、各種操作のためのスイッチや表示手段（例えばＬＥＤ表示器）等を備えている。
【００２１】
外部メモリ１４は、ハードディスク（ＨＤ）、ＩＣカード等から構成されており、プリンタ１５００にオプションとして接続される。外部メモリ１４は、フォントデータ、エミュレーションプログラム、フォームデータ等を記憶するものであり、メモリコントローラ（ＭＣ）２０によりアクセスを制御される。尚、外部メモリ１４は、１個に限らず、複数個備えることが可能となっている。即ち、内蔵フォントに加えてオプションカード、言語系の異なるプリンタ制御言語を解釈するプログラムを格納した外部メモリを複数接続できるように構成されていてもよい。更に、ＮＶＲＡＭ（図示略）を有し、操作部１５０１からのプリンタモード設定情報を記憶するようにしてもよい。
【００２２】
上述したＣＰＵ１２，ＲＡＭ１９，ＲＯＭ１３，入力部１８，印刷部インタフェース（Ｉ／Ｆ）１６，メモリコントローラ（ＭＣ）２０は、プリンタ制御ユニット１０００上に配設されている。
【００２３】
図２は、プリンタ等の印刷制御装置２５００が直接接続されているか、あるいはネットワーク経由で接続されているホストコンピュータ２０００における典型的な印刷処理の構成を示すブロック図である。図２において、ユーザＩＤ・パスワード取得部２００、印刷ジョブ送信部２０１、ジョブリスト取得・表示部２０２は、上記図１の外部メモリ１１に保存されたファイルとして存在し、実行される場合にＯＳやそのモジュールを利用するモジュールによってＲＡＭ２にロードされ実行されるプログラムモジュールである。
【００２４】
また、印刷処理制御部２０５、印刷ジョブ２０６、印刷ジョブリスト制御部２０６は、上記図１のプリンタ１５００で実行される場合にＯＳやそのモジュールを利用するモジュールによってＲＡＭ１９にロードされ実行されるプログラムモジュールまたはデータである。
【００２５】
図２は実施の形態における印刷制御装置およびそのモジュールとしての印刷制御装置の構成、ホストコンピュータおよびそのモジュールとしてのホストコンピュータの構成を示すブロック図である。図において、２０００はホストコンピュータ（端末）であり、印字データおよび制御コードからなる印刷情報を印刷制御装置（プリンタ装置）２５００に送信する。ホストコンピュータ（端末）２０００は、印刷制御装置（プリンタ装置）２５００と双方向通信を行い、印刷処理、印刷中止処理および再印刷処理を行う。
【００２６】
ユーザＩＤ・パスワード取得部２００は、印刷制御装置（プリンタ装置）２５００へ印刷ジョブやジョブリスト取得要求を送付するときに付加する、ユーザＩＤ・パスワードの取得を行う。印刷ジョブ送信部２０１は、印刷制御装置（プリンタ装置）２５００へ印刷ジョブを送付する。ジョブリスト取得・表示部２０２は、印刷制御装置（プリンタ装置）２５００へジョブリスト取得要求を行い、返信されるジョブリストの表示を行う。
【００２７】
印刷処理制御部２０５は、印刷ジョブを出力するための制御を行う。印刷ジョブ２０６は、ホストコンピュータ２０００から送付された印刷ジョブが一時蓄積されるための記憶装置である。印刷ジョブリスト制御部２０７は、印刷処理制御部２０５で処理されている、または処理待ちの印刷ジョブ２０６の制御を行う。
【００２８】
上記構成を有する代行印刷システムの動作を示す。
【００２９】
図３はホストコンピュータ２０００の印刷ジョブ送信時の処理手順を示すフローチャートである。ホストコンピュータ２０００と入出力装置（例えば、プリンタ装置２５００）との接続が設定されている環境において、ユーザがホストコンピュータ２０００からプリンタ２５００へ印刷ジョブを送信する時のフローである。印刷ジョブに付加するユーザＩＤおよび、パスワードを取得する（ステップＳ３０１）。ユーザＩＤ・パスワード取得部２００は、ダイアログを表示してユーザにユーザのＩＤとパスワードの入力を要求することや、ログイン中のユーザのアクセス権を利用するなどの方法がある。続いて、印刷ジョブ送信部２０１は、ステップＳ３０１で取得したユーザＩＤおよび、パスワードを印刷ジョブに付加してプリンタ２５００に送付する（ステップＳ３０２）。
【００３０】
図４は、ユーザがホストコンピュータ２０００から、ユーザＩＤとパスワードを付けてジョブリスト要求をするフローの例である。ホストコンピュータ２０００でジョブリスト要求に付加するユーザＩＤとパスワードを取得する（ステップＳ４０１）。ユーザＩＤ・パスワード取得部２００は、ダイアログを表示してユーザにユーザのＩＤとパスワードの入力を要求することや、ログイン中のユーザのアクセス権を利用するなどの方法がある。続いて、ユーザＩＤとパスワードを付けてジョブリスト要求パケット送信を行う（ステップＳ４０２）。プリンタ２５００では、ジョブリスト要求パケットを受信する（ステップＳ４０３）。続いて、プリンタ２５００では、印刷ジョブリスト制御部２０７において、ジョブリスト要求パケットからユーザＩＤとパスワードの取り出しを行う（ステップＳ４０４）。続いて、印刷ジョブリスト制御部２０７は、印刷処理制御部２０５が管理する印刷ジョブ２０６のリストを取得し、各印刷ジョブのユーザＩＤとパスワードを、ジョブリスト要求パケットに付加されたユーザＩＤとパスワードで照合し（ステップＳ４０５）、一致するジョブがあるか判定を行う（ステップＳ４０６）。一致するジョブがない場合は処理を終了する。
【００３１】
一致するジョブがある場合は、ホストコンピュータ２０００にジョブリストを送信する（ステップＳ４０７）。ホストコンピュータ２０００では、ジョブリストの表示を行い、処理を終了する（ステップＳ４０８）。
【００３２】
図５は、印刷ジョブリスト制御部２０７に登録された印刷ジョブリストの登録内容の例を示している。各ジョブには、ジョブＩＤ５０１、ユーザＩＤ５０２、パスワード５０３が含まれており、ジョブリスト要求パケットに付加されたユーザＩＤとパスワードで照合される。
【００３３】
以上のステップにより、画像形成装置内にＡＣＬを備える事のできない、または、ＬＤＡＰ等の外部データベースアクセスプロトコルを疎ないない画像形成装置において、印刷ジョブリスト取得の際に、簡便なアクセス制限を行うことが可能となる。
【実施例２】
【００３４】
本実施例は、請求項１、２の一部の実施例を説明する。
【００３５】
第１の実施の形態では、印刷ジョブリスト制御部２０７は、印刷処理制御部２０５が管理する印刷ジョブ２０６のリストを取得し、各印刷ジョブのユーザＩＤとパスワードを、ジョブリスト要求パケットに付加されたユーザＩＤとパスワードで照合し、一致しなかった場合にホストコンピュータ２０００では、何も表示されなかった。本実施の形態では、照合結果が一致しなかった場合について説明する。
【００３６】
図６は、本実施の形態に関わる印刷システムの処理手順を示すフローチャートである。
【００３７】
第１の実施の形態と同様の処理の説明は省略する。
【００３８】
印刷ジョブリスト制御部２０７は、印刷処理制御部２０５が管理する印刷ジョブ２０６のリストを取得し、各印刷ジョブのユーザＩＤとパスワードを、ジョブリスト要求パケットに付加されたユーザＩＤとパスワードで照合し（ステップＳ４０５）、一致するジョブがあるか判定を行う（ステップＳ４０６）。
【００３９】
一致するジョブがある場合は、ホストコンピュータ２０００にジョブリストを送信する（ステップＳ４０７）。ホストコンピュータ２０００では、ジョブリストの表示を行い、処理を終了する（ステップＳ６０２）。
【００４０】
一致するジョブがない場合は、ホストコンピュータ２０００にジョブリスト要求が失敗した事を送信する（ステップＳ６０１）。ホストコンピュータ２０００では、ジョブリストの取得に失敗した事を表示して処理を終了する（ステップＳ６０２）。
【実施例３】
【００４１】
本実施例は、請求項１、２、３の一部の実施例を説明する。
【００４２】
第１の実施の形態では、印刷ジョブリスト制御部２０７は、印刷処理制御部２０５が管理する印刷ジョブ２０６のリストを取得し、各印刷ジョブのユーザＩＤとパスワードを、ジョブリスト要求パケットに付加されたユーザＩＤとパスワードで照合し、一致したジョブが１つでもあれば、ホストコンピュータ２０００でジョブリストを表示した。本実施の形態では、照合結果が一致したジョブのみ、ジョブリストに表示する場合について説明する。
【００４３】
図７は、本実施の形態に関わる印刷システムの処理手順を示すフローチャートである。
【００４４】
第１、第２の実施の形態と同様の処理の説明は省略する。
【００４５】
プリンタ２５００では、印刷ジョブリスト制御部２０７において、ジョブリスト要求パケットからユーザＩＤとパスワードの取り出しを行う（ステップＳ４０４）。続いて、印刷ジョブリスト制御部２０７は、印刷処理制御部２０５が管理する印刷ジョブ２０６のリストを取得し、各印刷ジョブのユーザＩＤとパスワードを、ジョブリスト要求パケットに付加されたユーザＩＤとパスワードで照合し、一致するジョブだけのジョブリストを作成する（ステップＳ７０１）。続いて、ジョブリストにジョブが存在するか判定を行う（ステップＳ７０２）。
【００４６】
ジョブがある場合は、ホストコンピュータ２０００にジョブリストを送信する（ステップＳ４０７）。ホストコンピュータ２０００では、ジョブリストの表示を行い、処理を終了する（ステップＳ６０２）。
【００４７】
ジョブがない場合は、ホストコンピュータ２０００にジョブリスト要求が失敗した事を送信する（ステップＳ６０１）。ホストコンピュータ２０００では、ジョブリストの取得に失敗した事を表示して処理を終了する（ステップＳ６０２）。
【図面の簡単な説明】
【００４８】
【図１】本発明の一実施例を示す印刷制御装置の構成を説明するブロック図である。
【図２】プリンタが接続されたホストコンピュータの典型的なプリントシステムの構成を示すブロック図である。
【図３】本発明の一実施例を示すフローチャートである。
【図４】本発明の一実施例を示すフローチャートである。
【図５】本発明の一実施例である、ジョブリストの登録例を示す図である。
【図６】本発明の二実施例を示すフローチャートである。
【図７】本発明の三実施例を示すフローチャートである。
【符号の説明】
【００４９】
１０００  プリンタ制御ユニット
１５００  プリンタ
１５０１  操作部
３０００  ホストコンピュータ
【図１】
2006252411.tif 000003
【図２】
2006252411.tif 000004
【図３】
2006252411.tif 000005
【図４】
2006252411.tif 000006
【図５】
2006252411.tif 000007
【図６】
2006252411.tif 000008
【図７】
2006252411.tif 000009